(57)【要約】【課題】原水タンクから蒸発器に簡単な構成で原水を良好に供給することができるエンジン駆動作業機を提供する。【解決手段】エンジン駆動作業機１０は、原水２９を廃熱で蒸発させる蒸発器３５を備えている。蒸発器は、原水タンク４１に連通された原水取入部６３と、原水タンクに連通された空気抜き部６４とを備えている。原水タンクは、給水口９５を有するタンク容器９４と、給水口を開閉する給水キャップ９６と、給水キャップの開閉作動に連動する開閉切替弁９８とを備えている。開閉切替弁は、給水口を開放した状態において原水取入部およびタンク容器間を非連通状態に保ち、給水口を閉塞した状態において原水取入部およびタンク容器間を連通状態に保つように構成されている。【選択図】図５
2015029985.tif 000002
【特許請求の範囲】
【請求項１】
原水を蓄える密閉型の原水タンクと、該原水タンクから供給された原水をエンジンの廃熱で蒸発させて水蒸気とする蒸発器と、該蒸発器で蒸発させた水蒸気を凝縮させて浄水を生成する凝集器とを備えたエンジン駆動作業機において、
前記蒸発器は、
前記原水タンクの原水取出部に連通された原水取入部と、
前記原水タンクの内部空間に連通された空気抜き部と、を備え、
前記原水タンクは、
前記原水を給水する給水口を有するタンク容器と、
前記給水口を開閉する給水キャップと、
前記給水キャップの開閉作動に連動する開閉切替弁と、を備え、
前記開閉切替弁は、
前記給水口を前記給水キャップで開放した状態において、閉状態に切り替えられて前記原水取入部および前記タンク容器間を非連通状態に保ち、
前記給水口を前記給水キャップで閉塞した状態において、開状態に切り替えられて前記原水取入部および前記タンク容器間を連通状態に保つように構成されたことを特徴とするエンジン駆動作業機。
【請求項２】
前記開閉切替弁は、
前記給水口に回転自在に配置され、前記給水キャップの係止部に係止可能な被係止部と、
該被係止部に連結されるとともに前記タンク容器に回転自在に支持され、連通孔が形成された弁本体と、を備え、
前記開閉切替弁が閉状態に切り替えられたとき、前記連通孔が前記タンク容器で閉じられることにより前記原水取入部および前記タンク容器間を非連通状態に保ち、
前記開閉切替弁が開状態に切り替えられたとき、前記連通孔が前記原水取出部に連通することにより前記原水取入部および前記タンク容器間を連通状態に保つことを特徴とする請求項１記載のエンジン駆動作業機。
【発明の詳細な説明】
【技術分野】
【０００１】
本発明は、エンジンの廃熱で原水を蒸発させ、蒸発させた水蒸気を凝縮させて浄水を生成する水生成装置を備えたエンジン駆動作業機に関する。
【背景技術】
【０００２】
エンジン駆動作業機として、河川などの水（原水）を水ポンプ内に取り込み、取り込んだ原水の一部を分岐し、分岐した原水をエンジンの廃熱で蒸発させ、蒸発させた蒸気を分岐した原水で凝縮して浄水を生成するものが知られている。
【０００３】
エンジン駆動作業機によれば、水ポンプの駆動中に、水ポンプ内に取り込んだ原水の一部を原水分岐管に案内し、案内した原水を原水分岐管を経てエンジンの排気管に導く。導いた原水を排気管の廃熱（すなわち、エンジンの廃熱）で蒸発させ、蒸発させた蒸気を連通管に沿わせて原水分岐管まで上昇させる。上昇させた蒸気を原水分岐管内の原水で凝縮させることにより浄水を生成する。生成した浄水を、例えば、飲料水として使用する。
ここで、蒸発器において、原水がエンジンの廃熱で蒸発されて水蒸気となる。また、凝集器において、水蒸気が凝縮されて浄水となる（例えば、特許文献１参照。）。
【先行技術文献】
【特許文献】
【０００４】
【特許文献１】特開２０１２−２４６９９号公報
【発明の概要】
【発明が解決しようとする課題】
【０００５】
特許文献１のエンジン駆動作業機は、水ポンプを備えているため、水ポンプ内に取り込んだ原水の一部から浄水を生成することが可能である。一方、水ポンプを備えていないエンジン駆動作業機で原水から浄水を生成する技術の実用化が望まれている。
水ポンプを備えていないエンジン駆動作業機で原水から浄水を生成するためには、原水を蓄える原水タンクを用意し、原水タンクから蒸発器に簡単な構成で原水を良好に供給することが要求される。
【０００６】
本発明は、原水タンクから蒸発器に簡単な構成で原水を良好に供給することができるエンジン駆動作業機を提供することを課題とする。
【課題を解決するための手段】
【０００７】
請求項１に係る発明は、原水を蓄える密閉型の原水タンクと、該原水タンクから供給された原水をエンジンの廃熱で蒸発させて水蒸気とする蒸発器と、該蒸発器で蒸発させた水蒸気を凝縮させて浄水を生成する凝集器とを備えたエンジン駆動作業機において、前記蒸発器は、前記原水タンクの原水取出部に連通された原水取入部と、前記原水タンクの内部空間に連通された空気抜き部と、を備え、前記原水タンクは、前記原水を給水する給水口を有するタンク容器と、前記給水口を開閉する給水キャップと、前記給水キャップの開閉作動に連動する開閉切替弁と、を備え、前記開閉切替弁は、前記給水口を前記給水キャップで開放した状態において、閉状態に切り替えられて前記原水取入部および前記タンク容器間を非連通状態に保ち、前記給水口を前記給水キャップで閉塞した状態において、開状態に切り替えられて前記原水取入部および前記タンク容器間を連通状態に保つように構成されたことを特徴とする。
【０００８】
請求項２に係る発明は、前記開閉切替弁は、前記給水口に回転自在に配置され、前記給水キャップの係止部に係止可能な被係止部と、該被係止部に連結されるとともに前記タンク容器に回転自在に支持され、連通孔が形成された弁本体と、を備え、前記開閉切替弁が閉状態に切り替えられたとき、前記連通孔が前記タンク容器で閉じられることにより前記原水取入部および前記タンク容器間を非連通状態に保ち、前記開閉切替弁が開状態に切り替えられたとき、前記連通孔が前記原水取出部に連通することにより前記原水取入部および前記タンク容器間を連通状態に保つことを特徴とする。
【発明の効果】
【０００９】
請求項１に係る発明では、給水口を給水キャップで閉塞した状態において、開閉切替弁を開状態に切り替えて原水取入部およびタンク容器間を連通状態に保つようにした。原水取入部およびタンク容器間を開閉切替弁で連通状態に保つことにより、原水タンクから蒸発器に原水を良好に供給することができる。
【００１０】
また、給水口を給水キャップで開放した状態において、開閉切替弁を閉状態に切り替えて原水取入部およびタンク容器間を非連通状態に保つようにした。原水取入部およびタンク容器間を開閉切替弁で非連通状態に保つことにより、原水タンクから蒸発器に原水を供給しないようにできる。
【００１１】
よって、エンジンの駆動中に、給水口を給水キャップで開放して、給水口から原水を給水でき、タンク容器の原水の水位を一定に保つことができる。このように、タンク容器の原水の水位を一定に保つことにより、給水後に、給水口を給水キャップで閉塞することにより、原水タンクから蒸発器に原水を継続させて良好に供給することができる。
【００１２】
さらに、開閉切替弁の開閉状態への切替えを給水キャップの開閉作動に連動させた。これにより、開閉切替弁を開閉状態に切り替える手段を不要にできるので、開閉切替弁を簡単な構成にできる。
すなわち、エンジン駆動作業機によれば、原水タンクから蒸発器に簡単な構成で原水を良好に供給することができる。
【００１３】
請求項２に係る発明では、開閉切替弁の被係止部を給水キャップの係止部に係止させる簡単な構成で、開閉切替弁の開閉状態への切替えを給水キャップの開閉作動に連動させることができる。
これにより、開閉切替弁を開閉状態に切り替える手段を不要にできるので、開閉切替弁を簡単な構成にできる。
【図面の簡単な説明】
【００１４】
【図１】本発明に係るエンジン駆動作業機を正面側から見た状態を示す斜視図である。
【図２】図１のエンジン駆動作業機を背面側から見た状態を示す斜視図である。
【図３】図２の水生成装置を示す斜視図である。
【図４】図３の４−４線断面図である。
【図５】図２の水生成装置に備えた原水タンクおよび水生成部を破断した状態を示す断面図である。
【図６】図５の開閉切替弁を示す斜視図である。
【図７】図６の開閉切替弁を示す分解斜視図である。
【図８】本発明に係る原水タンクの給水口を給水キャップで閉塞した例を説明する図である。
【図９】本発明に係る空気抜き部が原水で塞がれた例を説明する図である。
【図１０】本発明に係る原水タンクの給水口を給水キャップで開放した例を説明する図である。
【発明を実施するための形態】
【００１５】
本発明を実施するための最良の形態を添付図に基づいて以下に説明する。なお、図中、前方、後方、左側方および右側方を「Ｆｒ」、「Ｒｒ」、「Ｌ」および「Ｒ」で示す。
【実施例】
【００１６】
実施例に係るエンジン駆動作業機１０について説明する。
図１、図２に示すように、エンジン駆動作業機１０は、エンジン駆動作業機１０の外枠を形成するフレーム１１と、フレーム１１の前左下部に設けられたエンジン１２と、エンジン１２に一体に設けられた発電機１３と、発電機１３およびエンジン１２に隣接して設けられた水生成装置２０と、エンジン１２の燃料タンク２２および水生成装置２０の原水タンク４１の前方に設けられた操作盤１５とを備えたエンジン駆動用の発電機である。
【００１７】
フレーム１１は、エンジン１２、発電機１３および水生成装置２０の浄水タンク３３を支持するベース１７と、ベース１７の左端部から上方に向けて折り曲げられた左フレーム１８と、ベース１７の右端部から上方に向けて折り曲げられた右フレーム１９とを有する。
左フレーム１８の把持部１８ａおよび右フレーム１９の把持部１９ａを手で把持してエンジン駆動作業機１０を持ち上げることにより、エンジン駆動作業機１０を搬送（運搬）することができる。
【００１８】
エンジン１２は、ベース１７の前左下部１７ａに支持され、クランクシャフトの右端部が発電機１３の駆動軸に同軸上に連結されている。また、クランクシャフトの左端部が冷却ファン２３に連結され、冷却ファン２３がリコイルスタータ２４に連結されている。
さらに、シリンダヘッド（エンジンヘッド）２５の排気ポート２８（図４参照）が排気管２７（図４参照）を介して水生成装置２０の蒸発器３５に連通されている。よって、エンジン１２が駆動することにより、排気ガスが排気ポート２８、排気管２７を経て水生成装置２０の蒸発器３５に導かれる。
【００１９】
冷却ファン２３は、エンジン１２のシリンダブロックやシリンダヘッド２５に冷却風を送風することにより、シリンダブロックやシリンダヘッド２５を冷却する装置である。シリンダヘッド２５は、先端部がヘッドカバー２６で覆われている。
リコイルスタータ２４はエンジン１２を始動させる装置である。
【００２０】
発電機１３は、エンジン１２のクランクシャフトに連通する駆動軸と、駆動軸に設けられたロータとを備えている。クランクシャフトで駆動軸を回転することによりロータが回転し、ロータが回転することにより電力を発生する。
発電機１３、シリンダブロック、シリンダヘッド２５およびヘッドカバー２６で形成された空間に水生成装置２０が配置されている。
【００２１】
図３に示すように、水生成装置２０は、原水２９（図５参照）を供給する原水供給手段３１と、原水供給手段３１から供給された原水２９から浄水を生成する水生成部３２と、水生成部３２で生成された浄水を蓄える浄水タンク３３とを含む（備えている）。
水生成部３２は、発電機１３（図２参照）側に第１ブラケット３４ａおよび第２ブラケット３４ｂを介して支持されている。
【００２２】
図４に示すように、水生成部３２は、原水供給手段３１（図３参照）から供給された原水２９を蒸発する蒸発器３５と、蒸発器３５の下部を覆うボトムカバー３６と、蒸発器３５で蒸発された水蒸気を凝縮する凝集器３８と、凝集器３８で生成された浄水（蒸留水）６９を収集する（集める）セパレータ３９とを含む（備えている）。
すなわち、水生成装置２０は、蒸発器３５で蒸発させた蒸気を凝集器３８で凝縮させて浄水を生成する機能を備えている。
【００２３】
図３、図５に示すように、原水供給手段３１は、水生成部３２の上方に設けられて原水２９を蓄える原水タンク４１と、原水タンク４１に蓄えられた原水２９を蒸発器３５に導く（供給する）原水供給路４２と、蒸発器３５の内部空間４３および原水タンク４１の内部空間４６を連通する空気抜き路４５とを備えている。
【００２４】
原水タンク４１は、原水２９を給水する給水口９５を有するタンク容器９４と、タンク容器９４の給水口９５を開閉する給水キャップ９６と、給水キャップ９６の開閉作動に連動する開閉切替弁９８とを含む。原水タンク４１は密閉型のタンクが使用されている。
【００２５】
給水キャップ９６は、タンク容器９４の給水口９５に差し込まれた後、閉位置まで回転することにより、給水口９５に係止されて給水口９５が密閉状態に保持される。
閉位置の給水キャップ９６を開位置まで９０°回転することにより、給水口９５および給水キャップ９６間の係止状態が解除される。給水口９５から給水キャップ９６を取り外すことにより給水口９５が開放される。
【００２６】
図６に示すように、給水キャップ９６は、開閉切替弁９８に係止可能な一対の係止凹部（係止部）１０１を有する。一対の係止凹部１０１は給水キャップ９６の半径方向で、かつ、同一直線状に形成されている。
一対の係止凹部１０１は、開閉切替弁９８の突起部（被係止部）１０９に係止可能に形成されている。
開閉切替弁９８については図５、図６で詳しく説明する。
【００２７】
図４に戻って、水生成部３２の蒸発器３５は、外周壁５２が略矩形の枠状に形成された蒸発容器５１と、蒸発容器５１内に設けられた加熱部（熱交換部）５３とを備えている。
蒸発容器５１は、略矩形の枠状に形成され、下部５１ａにボトムカバー３６が取り付けられることにより、ボトムカバー３６で下部５１ａが塞がれている。
蒸発容器５１およびボトムカバー３６で原水貯留槽４８が形成される。原水貯留槽４８に、原水タンク４１から供給された原水２９が蓄えられる。
【００２８】
図３、図５に示すように、蒸発容器５１に原水取入部６３および空気抜き部６４が設けられている。
原水取入部６３の出口６３ａが蒸発容器５１の内部に連通され、原水取入部６３の入口６３ｂに原水供給路４２の出口４２ａが連通されている。
また、原水供給路４２の入口４２ｂが原水タンク４１の原水取出部９３に連通され、原水取出部９３の原水出口９３ａがタンク出口１０３を介して原水タンク４１の内部に連通されている。タンク出口１０３はタンク容器９４のタンク底部９４ａに形成されている。
【００２９】
すなわち、蒸発容器５１（原水貯留槽４８）の内部が、原水取入部６３、原水供給路４２、原水取出部９３およびタンク底部９４ａを介して原水タンク４１の内部に連通されている。よって、原水タンク４１に蓄えられた原水２９が、原水供給路４２などを経て蒸発器３５の内部に供給される。
【００３０】
一方、空気抜き部６４の出口６４ａが蒸発容器５１の内部空間４３に連通され、空気抜き部６４の入口６４ｂに空気抜き路４５の出口４５ａが連通されている。
また、空気抜き路４５の入口４５ｂが連通管１０５を介して原水タンク４１の内部空間４６に連通されている。
すなわち、蒸発器３５の内部空間４３が、空気抜き部６４、空気抜き路４５および連通管１０５を介して原水タンク４１の内部空間４６に連通されている。
【００３１】
図４に戻って、蒸発容器５１にガス取入部６６およびガス排出部６７がそれぞれ一体に設けられている。
ガス取入部６６の入口６６ａが排気管２７を介してエンジン１２の排気ポート２８に連通されている。また、ガス取入部６６の出口６６ｂが加熱部５３（加熱本体６５）の加熱入口６５ａに連通されている。
一方、ガス排出部６７の入口６７ａが加熱部５３（加熱本体６５）の加熱出口６５ｂに連通されている。また、ガス排出部６７の出口６７ｂが蒸発器３５の外部６８に開口されている。
ガス取入部６６およびガス排出部６７は加熱部５３の一部を構成する部材である。
【００３２】
加熱部５３は、蒸発器３５の内部に排気ガスを案内する熱交換器である。
この加熱部５３は、蒸発器３５の内部に収納された加熱本体６５と、加熱本体６５の加熱入口６５ａに連通されたガス取入部６６と、加熱本体６５の加熱出口６５ｂに連通されたガス排出部６７とを有する。
【００３３】
加熱本体６５は、加熱入口６５ａがガス取入部６６に連通され、加熱出口６５ｂがガス排出部６７に連通されている。よって、エンジン１２の排気ガスが、排気管２７およびガス取入部６６を経て加熱本体６５の加熱入口６５ａに導かれ、加熱入口６５ａを経て加熱本体６５に導かれる。
加熱本体６５に導かれた排気ガスが、加熱本体６５の加熱出口６５ｂを経てガス排出部６７に導かれる。ガス排出部６７に導かれた排気ガスが、ガス排出部６７の出口６７ｂから蒸発器３５の外部６８に排出される。
【００３４】
加熱部５３にエンジン１２の排気ガスを導くことにより、排気ガスの廃熱（エンジン１２の廃熱）で加熱部５３が加熱される。加熱部５３が加熱されることにより、原水貯留槽４８に蓄えられた原水２９を加熱部５３で蒸発させることができる。
すなわち、蒸発器３５は、蒸発容器５１に蓄えた原水２９をエンジン１２の廃熱を利用して蒸発させる機能を備えている。
【００３５】
凝集器３８は、蒸発容器５１の上方を覆う頂部７６を有する凝集容器７５と、頂部７６の外面（上面）７６ａに設けられた複数の冷却フィン８１と、頂部７６の内面（下面）７６ｂに設けられた複数の右凝縮フィン８２および複数の左凝縮フィン８４とを含む。
凝集容器７５は、蒸発容器５１の上方を覆う頂部７６と、頂部７６の外周縁に設けられた外周壁７７とを有する。
【００３６】
頂部７６の外面７６ａおよび外周壁７７の一部に複数の冷却フィン８１が設けられている。よって、凝集器３８は、大気（外部６８）に対峙する面積が大きく確保される。これにより、複数の冷却フィン８１により熱交換を効率よくおこない、凝集器３８を好適な冷却状態に保つことができる。
【００３７】
さらに、頂部７６の内面７６ｂのうち、蒸発容器５１上方の右凝縮部位７６ｄに複数の右凝縮フィン８２が設けられ、かつ、蒸発容器５１上方の左凝縮部位７６ｅに複数の左凝縮フィン８４が設けられている。
よって、複数の右凝縮フィン８２や複数の左凝縮フィン８４が複数の冷却フィン８１で好適な冷却状態に保たれる。
【００３８】
これにより、蒸発器３５から凝集器３８に導かれた水蒸気が、複数の右凝縮フィン８２や複数の左凝縮フィン８４に接触することにより凝縮され、各凝縮フィン８２，８４に浄水６９として付着する。
すなわち、凝集器３８は、蒸発器３５の上方に設けられ、蒸発器３５で蒸発させた水蒸気を右凝縮部位７６ｄや左凝縮部位７６ｅで凝縮させて浄水を生成する機能を備えている。
【００３９】
凝集器３８で生成された浄水はセパレータ３９で収集される。
セパレータ３９は、蒸発器３５および凝集器３８間に介在され、中央３９ａに開口部８８が形成されている。セパレータ３９に開口部８８を形成することにより、蒸発器３５で蒸発させた水蒸気が開口部８８を経て凝集器３８に導かれる。
【００４０】
一方、蒸発器３５および凝集器３８間にセパレータ３９を介在させることにより、凝集器３８（複数の右凝縮フィン８２や複数の左凝縮フィン８４）から滴下する浄水６９がセパレータ３９で収集される。
セパレータ３９で収集した浄水６９は、浄水取出部８９や浄水取出路９１（図３参照）を経て浄水タンク３３（図３参照）に蓄えられる。浄水タンク３３に蓄えられた浄水６９は、例えば、飲料水として使用される。
【００４１】
つぎに、開閉切替弁９８を図６、図７に基づいて詳しく説明する。
図６、図７に示すように、開閉切替弁９８は、給水口９５に回転自在に配置されたリング部１０７と、リング部１０７に連結ロッド１１１を介して連結された弁本体１１２と、弁本体１１２を回転自在に支持する複数のブラケット１１５と、弁本体１１２およびタンク容器９４（タンク底部９４ａ）間を回転自在に密閉するシールリング（図示せず）とを備えている（含む）。
【００４２】
リング部１０７は、給水口９５に回転自在に配置されたリング１０８と、リング１０８の内面から半径方向内側に向けて同一直線上に突出された一対の突起部（被係止部）１０９とを有する。
【００４３】
一対の突起部１０９は、給水キャップ９６（一対の係止凹部１０１）にそれぞれ係止可能に形成されている。具体的には、給水キャップ９６が給水口９５に差し込まれた状態で、一対の突起部１０９の一方に一対の係止凹部１０１の一方が係止され、一対の突起部１０９の他方に一対の係止凹部１０１の他方が係止される。
【００４４】
よって、給水キャップ９６が給水口９５に差し込まれた状態において、給水キャップ９６が回転されることにより、リング部１０７（すなわち、弁本体１１２）が給水キャップ９６に連動して矢印Ａ方向に回転する。
これにより、給水キャップ９６が開位置に配置された状態で開閉切替弁９８が閉状態に切り替えられ、給水キャップ９６が閉位置に配置された状態で開閉切替弁９８が開状態に切り替えられる。
【００４５】
弁本体１１２は、外周が円形に形成された円板状の部材であり、タンク容器９４のタンク底部９４ａにブラケット１１５を介して回転自在に支持されている。弁本体１１２は、中央１１２ａを中心にして矢印Ａ方向に回動可能にブラケット１１５で支持されている。
この弁本体１１２に連通孔１１３が形成されている。
【００４６】
連通孔１１３は、開閉切替弁９８が閉状態においてタンク出口１０３から離れ（図６に示す状態）、開閉切替弁９８が開状態においてタンク出口１０３に連通される。
連通孔１１３がタンク出口１０３から離れることにより、連通孔１１３がタンク底部９４ａで閉じられ、タンク出口１０３が弁本体１１２で閉じられる。
【００４７】
よって、給水キャップ９６を開位置に配置し、給水キャップ９６を給水口９５から除去して給水口９５を開放した状態において、タンク出口１０３が弁本体１１２で閉じられる。
これにより、給水口９５を開放した状態において、タンク容器９４が蒸発器３５に対して非連通状態に保たれ、タンク容器９４の原水２９を蒸発器３５に供給しないようにできる。
【００４８】
また、給水キャップ９６が閉位置に配置された状態において、連通孔１１３がタンク出口１０３に連通されることにより、タンク容器９４が蒸発器３５に対して連通状態に保たれる。
タンク容器９４が蒸発器３５に対して連通状態に保たれることにより、タンク容器９４の原水２９を蒸発器３５に良好に供給することができる。
【００４９】
このように、開閉切替弁９８の開閉状態への切替えを給水キャップ９６の開閉作動に連動させるように構成した。これにより、開閉切替弁９８を開閉状態に切り替える手段を不要にできるので、開閉切替弁９８を簡単な構成にできる。
すなわち、エンジン駆動作業機１０によれば、タンク容器９４の原水２９を蒸発器３５に簡単な構成で供給することができる。
【００５０】
さらに、開閉切替弁９８の一対の突起部１０９に給水キャップ９６の一対の係止凹部１０１を係止させるだけの簡単な構成で、開閉切替弁９８の開閉状態への切替えを給水キャップ９６の開閉作動に連動させることができる。
これにより、開閉切替弁９８を開閉状態に切り替える手段を不要にできるので、開閉切替弁９８を簡単な構成とすることができる。
【００５１】
つぎに、原水タンク４１の給水口９５を給水キャップ９６で閉塞した状態を図８に基づいて説明する。なお、図８（ａ）においては、説明の理解を容易にするために給水口９５から給水キャップ９６を除去した状態を示す。
【００５２】
図８（ａ），（ｂ）に示すように、原水タンク４１の給水口９５を給水キャップ９６で閉塞することにより、給水キャップ９６に開閉切替弁９８が連動して開状態に切り替えられる。開閉切替弁９８が開状態に切り替えられることにより、連通孔１１３がタンク出口１０３に連通される。
【００５３】
この状態において、原水貯留槽４８に蓄えられた原水２９が加熱部５３で蒸発されることにより減少する。原水貯留槽４８の原水２９が減少することにより、原水２９の水面２９ａが空気抜き部６４の出口６４ａより下方に下がる。
よって、蒸発器３５の内部空間４３および原水タンク４１の内部空間４６が空気抜き路４５などを経て連通される。
【００５４】
蒸発器３５（内部空間４３）の空気が空気抜き路４５を経て原水タンク４１（内部空間４６）に矢印Ｂの如く導かれる。
これにより、原水タンク４１の原水２９が原水供給路４２などを経て原水貯留槽４８の内部に矢印Ｃの如く導かれる。
原水貯留槽４８の内部に原水２９が導かれることにより、原水２９の水面２９ａが空気抜き部６４の出口６４ａ（位置Ｈ１）まで上昇する。
【００５５】
ついで、空気抜き部６４の出口６４ａが原水２９で塞がれた状態を図９に基づいて説明する。
図９に示すように、原水２９の水面２９ａが位置Ｈ１まで上昇することにより、空気抜き部６４の出口６４ａが原水２９で塞がれる。よって、原水タンク４１の内部空間４６が密閉状態に保たれる。
これにより、原水タンク４１の原水２９が原水供給路４２を経て原水貯留槽４８に導かれることが阻止される。
【００５６】
つぎに、原水タンク４１の給水口９５を給水キャップ９６で開放した状態を図１０に基づいて説明する。
図１０（ａ），（ｂ）に示すように、排気ガスの廃熱（エンジン１２の廃熱）で加熱部５３を加熱し、原水貯留槽４８に蓄えられた原水２９を蒸発させることにより、原水貯留槽４８の原水２９が減少する。
【００５７】
原水貯留槽４８の原水２９が減少することにより、原水タンク４１の原水２９が原水供給路４２などを経て原水貯留槽４８の内部に継続して導かれる。
よって、原水タンク４１の原水２９が減少する（図１０（ｂ）に示す状態）。この状態において、給水キャップ９６を閉位置から開位置まで９０°回転することにより、給水キャップ９６に連動して開閉切替弁９８が閉状態に切り替えられる。
【００５８】
開閉切替弁９８が閉状態に切り替えられることにより、連通孔１１３がタンク底部９４ａで閉じられ、タンク底部９４ａの原水出口９３ａが弁本体１１２で閉じられる。
これにより、原水タンク４１の原水２９が原水供給路４２を経て原水貯留槽４８に導かれることが阻止される。
この状態において、開位置まで回転された給水キャップ９６を給水口９５から外すことにより給水口９５を開放する。開放した給水口９５からタンク容器９４に原水２９を矢印Ｄの如く給水してタンク容器９４の内部に原水２９が蓄えられる。
【００５９】
よって、エンジン１２（図２参照）の駆動中（すなわち、浄水の生成中）に、給水口９５から給水キャップ９６を外し、開放した給水口９５からタンク容器９４に原水２９を良好に給水できる。
タンク容器９４に原水２９を給水することにより、タンク容器９４の原水２９の水位を一定に保つことができる。
【００６０】
原水２９の給水後に、給水口９５を給水キャップ９６で閉じる。よって、開閉切替弁９８が開状態に切り替えられ、連通孔１１３がタンク出口１０３に連通される。これにより、タンク容器９４の原水２９が原水貯留槽４８の内部に導かれる。
このように、水生成装置２０による浄水の生成を継続させながらタンク容器９４に原水２９を給水できる。これにより、水生成装置２０で浄水を好適に生成することができる。
【００６１】
なお、本発明に係るエンジン駆動作業機は、前述した実施例に限定されるものではなく適宜変更、改良などが可能である。
例えば、前記実施例では、エンジン駆動作業機１０を発電機に適用する例について説明したが、これに限らないで、エンジン駆動作業機１０を除雪機、耕耘機や芝刈り機などのエンジン駆動用の他の作業機に適用することも可能である。
【００６２】
また、前記実施例で示したエンジン駆動作業機、エンジン、水生成装置、蒸発器、凝集器、原水タンク、原水取入部、空気抜き部、原水取出部、タンク容器、給水口、給水キャップ、開閉切替弁、係止凹部、突起部、弁本体および連通孔などの形状や構成は例示したものに限定するものではなく適宜変更が可能である。
【産業上の利用可能性】
【００６３】
本発明は、エンジンの廃熱で原水を蒸発させ、蒸発させた水蒸気を凝縮させて浄水を生成する水生成装置を備えたエンジン駆動作業機への適用に好適である。
【符号の説明】
【００６４】
１０…エンジン駆動作業機、１２…エンジン、２０…水生成装置、２９…原水、３５…蒸発器、３８…凝集器、４１…原水タンク、４６…原水タンクの内部空間、６３…原水取入部、６４…空気抜き部、６９…浄水、９３…原水取出部、９４…タンク容器、９５…給水口、９６…給水キャップ、９８…開閉切替弁、１０１…係止凹部（係止部）、１０９…突起部（被係止部）、１１２…弁本体、１１３…連通孔。
【図１】
2015029985.tif 000003
【図２】
2015029985.tif 000004
【図３】
2015029985.tif 000005
【図４】
2015029985.tif 000006
【図５】
2015029985.tif 000007
【図６】
2015029985.tif 000008
【図７】
2015029985.tif 000009
【図８】
2015029985.tif 000010
【図９】
2015029985.tif 000011
【図１０】
2015029985.tif 000012